(57)【要約】【課題】  書籍等を取り出した際には横滑りせず、残りの書籍等を安定に保持することができるとともに、書籍等の取り出し跡に生じた空間を無くすに際しては、片手で容易に滑らせることができるブックエンドを提供することを課題とする。【解決手段】  底板と、前記底板に対して略垂直に立ち上がる側板とを備え、前記底板が前記側板の前後両側に存在しているとともに、前記側板の前方に存在する底板部分の上に書籍等を載置して使用するブックエンドであって、前記底板の、前記側板よりも前方に存在する部分を前方底板部分、前記側板よりも後方に存在する部分を後方底板部分としたとき、前記前方底板部分の底面には滑り止めが設けられておらず、前記後方底板部分の底面に滑り止めが設けられているブックエンドを提供することによって解決する。【選択図】  図３
2019017726.tif 000002
【特許請求の範囲】
【請求項１】
底板と、前記底板に対して略垂直に立ち上がる側板とを備え、前記底板が前記側板の前後両側に存在しているとともに、前記側板の前方に存在する底板部分の上に書籍等を載置して使用するブックエンドであって、前記底板の、前記側板よりも前方に存在する部分を前方底板部分、前記側板よりも後方に存在する部分を後方底板部分としたとき、前記前方底板部分の底面には滑り止めが設けられておらず、前記後方底板部分の底面に滑り止めが設けられているブックエンド。
【請求項２】
前記底板の、前記後方底板部分よりもブックエンド前方で、かつ、前記前方底板部分よりもブックエンド後方に位置している部分を中央底板部分としたとき、前記中央底板部分の底面に滑り止めが設けられていない請求項１記載のブックエンド。
【請求項３】
前記前方底板部分同士を対向させて左右一対で使用される請求項１又は２に記載のブックエンド。
【発明の詳細な説明】
【技術分野】
【０００１】
本発明は書籍等を立てて並べるのに用いられるブックエンドに関する。
【背景技術】
【０００２】
ブックエンドは、古くから書籍等を立てて並べた状態で静置するために用いられている道具であり、現在では、実用性を重視したシンプルなデザインのものから、装飾性に富んだ凝ったデザインのものまで、実に様々な形状や構造及び材質のブックエンドが提案され、実用化されている。
【０００３】
中でも、例えば図９に示すような、一枚の金属板の中央を逆Ｕ字状に打ち抜き、打ち抜いた逆Ｕ字状部分に対し、その周辺部分を直角に折り曲げた形状のブックエンド１０ａ、１０ｂは、構造が簡単で、容易に製作することができるとともに、保管時には、逆Ｕ字状に突き出た部分を同方向に揃えて複数個のブックエンドをコンパクトに重ねることができるので、利便性が高く、繁用されている。
【０００４】
しかし、このタイプのブックエンドにも弱点はあり、左右一対のブックエンド１０ａ、１０ｂ間に立てて並べた状態で保持されている書籍の中から、必要時に１冊又は２冊以上の書籍を取り出すと、残りの書籍が支えを失って左右どちらかに傾いてブックエンドの側板に寄り掛かる結果、左右どちらかのブックエンド或いは両方のブックエンドが書籍とは反対側、すなわち後方に向かって横滑りしてしまうという問題点がある。
【０００５】
この問題点を解決すべく、例えば特許文献１〜３においては、ブックエンドの底面に滑り止めを取り付けることが提案されている。ブックエンドの底面に滑り止めを取り付けると、確かに、書籍取り出し時にもブックエンドは横滑りせず、残りの書籍をブックエンド間に安定に保持させることが可能となる。
【０００６】
しかしながら、本発明者が得た知見によれば、底面に滑り止めを取り付けたブックエンドは、書籍等の取り出し後、その取り出し跡に生じた空間を無くすためにブックエンドを書籍側、すなわち、前方に向かって移動させようとすると、この方向の移動に対しても底面に取り付けた滑り止めが抵抗し、片手でブックエンドの側板を押した程度では、ブックエンドを前方に向かって横滑りさせることは困難である。このため、底板底面に滑り止めを取り付けたブックエンドを書籍側に向かって移動させるには、一方の手で書籍等を持ち上げつつ、他方の手でブックエンドを押して移動させる必要があり、両手を必要とすることになる。このように、滑り止めを取り付けたことにより、返って使い勝手が悪くなるという不都合を生じさせる結果となっている。
【先行技術文献】
【特許文献】
【０００７】
【特許文献１】実開昭５８−２９３３９号公報
【特許文献２】実開昭６３−１０３３３５号公報
【特許文献３】実開平２−９４６４３号公報
【発明の概要】
【発明が解決しようとする課題】
【０００８】
本発明は、上記従来の滑り止めがないタイプ及び滑り止めがあるタイプの双方のブックエンドが有する不都合を解消するために為されたもので、書籍等を取り出した際には横滑りせず、残りの書籍等を安定に保持することができるとともに、書籍等の取り出し跡に生じた空間を無くすに際しては、片手で容易に滑らせることができるブックエンドを提供することを課題とするものである。
【課題を解決するための手段】
【０００９】
本発明者は、上記課題を解決すべく鋭意試行錯誤を重ねた結果、書籍等を取り出したときにブックエンドに作用し、ブックエンドを後方に向かって横滑りさせようとする力と、書籍等の取り出し跡にあいた空間を無くすべく、ブックエンドを前方に向かって横滑りさせようとしたときに、ブックエンドに掛けられる力とは、それぞれ、ブックエンドの底板の異なる位置に主として作用することを見出した。この知見に基づき、本発明者は、ブックエンドを後方に向かって横滑りさせようとする力が主として作用する底板の底面にのみ滑り止めを設けるとともに、ブックエンドを前方に向かって横滑りさせようとしたときにブックエンドに掛かかる力が主として作用する底板の底面には滑り止めを設けないことによって前記課題を一挙に解決することができることを確認し、本発明を完成した。
【００１０】
すなわち、本発明は、底板と、前記底板に対して略垂直に立ち上がる側板とを備え、前記底板が前記側板の前後両側に存在しているとともに、前記側板の前方に存在する底板部分の上に書籍等を載置して使用するブックエンドであって、前記底板の、前記側板よりも前方に存在する部分を前方底板部分、前記側板よりも後方に存在する部分を後方底板部分としたとき、前記前方底板部分の底面には滑り止めが設けられておらず、前記後方底板部分の底面に滑り止めが設けられているブックエンドを提供することによって上記課題を解決するものである。
【００１１】
本発明者が独自に得た知見によれば、ブックエンド間に並べられた書籍等が傾いた時、ブックエンドを後方、すなわち、書籍とは反対側に向かって滑らせようとする力が主として作用するのは、後方底板部分の底面であり、ここに滑り止めが設けられていれば、書籍取り出し時の横滑りを防止するには十分である。一方、書籍等の取り出し跡に生じた空間を無くすべく、ブックエンドを前方、すなわち、書籍側に向かって滑らせようとして側板を押したときに主として力が作用するのは、前方底板部分の底面である。それにもかかわらず、ブックエンドの底面を全て等質とみなし、前方底板部分の底面にも滑り止めを取り付けていたことが、従来のブックエンドにおいて、前方に向かっての滑りを妨げていた原因である。本発明のブックエンドにおいては、上記のとおり、前記前方底板部分の底面には滑り止めが設けられていないので、その上に書籍等が存在する状態であっても、側板に外側から力を加えることによって、片手でも楽にブックエンドを前方に向かって滑らせることができる。
【００１２】
なお、好適な一態様において、本発明のブックエンドは、前記底板の、前記後方底板部分よりもブックエンド前方で、かつ、前記前方底板部分よりもブックエンド後方に位置している部分を中央底板部分としたとき、前記中央底板部分の底面に滑り止めが設けられていないブックエンドである。この中央底板部分の底面は、側板の直下領域に相当するとともに、側板の直下領域を側板の水平長手方向に延長した領域にも相当し、ブックエンドを前方に向かって滑らせようとして、ブックエンドの側板に力を掛けたときに支点となる場所である。したがって、この場所にも滑り止めは設けられていない方が、ブックエンドの前方への滑りはより容易に行うことができる。
【００１３】
本発明のブックエンドは、従来のブックエンドと同様に、基本的に、前記前方底板部分同士を向き合わせて左右一対で使用される。ただし、本発明のブックエンドは、単独で用いて、書籍等をその一方の側面だけで支えるように使用しても良いし、３個以上を適宜の向きで組み合わせて使用しても良い。いずれの場合でも、使用時に書籍等が載置される前記前方底板部分が内側になる向きで使用されれば良い。
【００１４】
なお、本発明のブックエンドによって保持される対象には特段の制限はなく、例えば、書籍、図書、雑誌、カタログ、パンフレット、その他の印刷物、書類等であっても良い。
【発明の効果】
【００１５】
本発明のブックエンドは、立てて並べた書籍等の中から必要な１冊若しくは２冊以上を取り出した際に、残った書籍等が傾いてブックエンドの側板に寄りかかったとしても、ブックエンドが後方に向かって滑ることがなく、残った書籍等が倒れてしまうことがないという利点を備えるともに、取り出した書籍等の跡に生じた空間を無くす際には、ブックエンドの側板を外側から片手で押すだけで、容易にブックエンドを前方、書籍側に向かって滑らせることができるという利点を有している。
【図面の簡単な説明】
【００１６】
【図１】本発明のブックエンドの一例を示す斜視図である。
【図２】ブックエンドの平面図である。
【図３】ブックエンドの右側面図である。
【図４】ブックエンドの底面図である。
【図５】ブックエンドの使用状態の一例を示す図である。
【図６】ブックエンドの使用状態の一例を示す図である。
【図７】本発明のブックエンドの他の一例を示す右側面図である。
【図８】ブックエンドの底面図である。
【図９】従来のブックエンドの一例を示す斜視図である。
【発明を実施するための形態】
【００１７】
以下、図面を用いて本発明を詳細に説明するが、本発明が図示のものに限られないことは勿論である。
【００１８】
図１は、本発明に係るブックエンドの一例を示す斜視図である。図１において、１はブックエンド、２はブックエンド１の底板、３はブックエンド１の側板である。図１に示すとおり、本例のブックエンド１は、一枚の平板状部材のほぼ中央部を逆Ｕ字状に打ち抜き、打ち抜いた逆Ｕ字状部分とその根元部分を底板２とし、この底板２に対し、逆Ｕ字状部分の周辺部分を直角に折り曲げて側板３とした形状のブックエンドであり、その基本形状自体、図９に示す従来のブックエンド１０ａ、１０ｂと何ら変わるものではない。
【００１９】
４は、側板３から底板２まで連続して直線状に設けられた補強用の曲折部である。曲折部４が側板３の左右に設けられていることによって、側板３の強度は高まり、比較的大きな外力が掛かっても、側板３は常に底板２に対し略垂直に立ち上がった状態を保つことができる。なお、曲折部４は、本発明のブックエンド１にとって必須のものではないが、側板３の強度を補強すべく、設けられている方が好ましい。
【００２０】
なお、ブックエンド１を構成する材料に特段の制限はなく、当該タイプのブックエンドに通常使用されている材料を用いて構成されれば良く、鉄、銅、真鍮等の金属や、プラスチィック、その他、適宜の材料を用いて構成することができる。
【００２１】
図２は、ブックエンド１の平面図である。図２に示すとおり、底板２は側板３を挟んでその両側に伸びており、ブックエンドとしての使用時、その上に書籍Ｂ１、Ｂ２、Ｂ３が載置される側を、便宜上、前方αとし、その反対側を、便宜上、後方βとすると、底板２は、側板３の前方α側、及び後方β側の双方に存在していることになる。
【００２２】
図２において、右下がりのハッチングを付した領域２ｆは、底板２の、側板３よりも前方α側に存在する前方底板部分であり、左下がりのハッチングを付した領域２ｒは、底板２の、側板３よりも後方β側に存在する後方底板部分である。側板３には厚さがあるので、通常、前方底板部分２ｆと後方底板部分２ｒとは連続しておらず、その間には、側板３の厚さに相当する領域として、中央底板部分２ｃが存在する。すなわち、中央底板部分２ｃとは、側板３の直下領域、及び当該直下領域を側板３の水平長手方向（前後方向と直交する方向であり、図２においては上下方向）に延長した領域に相当する底板部分である。
【００２３】
図３は、ブックエンド１の右側面図であり、図４は底面図である。図３及び図４において、５は滑り止めである。図３及び図４に示すとおり、滑り止め５は、後方底板部分２ｒの底面の全面にわたって設けられているが、前方底板部分２ｆの底面には設けられていない。また、中央底板部分２ｃの底面にも滑り止め５は設けられていない。このように、後方底板部分２ｒの底面には滑り止め５が設けられているが、前方底板部分２ｆの底面及び中央底板部分２ｃの底面には滑り止め５が設けられていない点が、本発明に係るブックエンド１の特徴である。
【００２４】
図５及び図６は、図１〜図４に示したブックエンド１の使用状態の一例を示す図である。図５は、一対のブックエンド１間に並べられた複数の書籍の中から数冊の書籍を取り出した状態を示している。ぴったりと並んだ状態から数冊の書籍が取り出された結果、残りの書籍は不安定となり、図中矢印で示すとおり、ブックエンド１の側板３に向かって倒れかかることになるが、ブックエンド１の後方底板部分２ｒの底面には滑り止め５が設けられているので、ブックエンド１は後方に滑ることなく、側板３に倒れ掛かった書籍Ｂ１、Ｂ２、Ｂ３をその場でしっかりと支えることができる。
【００２５】
一方、図６は、図５に示す状態から、書籍を取り出したことによって生じた空間を無くすべく、側板３に力を掛けて前方、すなわち、書籍が存在する方向にブックエンド１を横滑りさせた状態を示している。図６に示すとおり、ブックエンド１の後方底板部分２ｒの底面には滑り止め５が設けられているものの、前方底板部分２ｆ及び中間底板部分２ｃの底面には滑り止めは設けられていないので、片手で側板３をブックエンド１の前方に向かって押すだけで、ブックエンド１は、前方底板部分２ｆの底面を滑り面として、前方底板部分２ｆの上に載置されている書籍Ｂ１、Ｂ２、Ｂ３と共に滑らかに横滑りし、書籍を取り出すことによって生じた空間を無くすことができる。
【００２６】
なお、滑り止め５の材質に特段の制限はなく、ゴム、合成樹脂等の摩擦係数の比較的大きなシート状又は薄層状の素材を滑り止めとして用いれば良い。また、底板２の底面の適宜の位置に滑り止め５を設ける手段にも制限はなく、例えば、接着剤又は糊等を用いてシート状又は薄層状の滑り止め５を接着ないしは貼着すれば良い。
【００２７】
図７は、本発明に係るブックエンド１の他の一例を示す右側面図、図８は、図７に示すブックエンド１の底面図である。本例のブックエンド１においては、滑り止め５が、後方底板部分２ｒの底面の全面ではなく、後方底板部分２ｒの底面の一部に設けられている点が、先に説明した例とは異なっている。
【００２８】
図７及び図８に示すとおり、本例のブックエンド１においては、滑り止め５の前方先端面は後方底板部分２ｒの前方先端面よりも距離ｄだけ後方に位置している。このように、後方底板部分２ｒの底面に設けられる滑り止め５の前方先端面が後方底板部分２ｒの前方先端面よりも距離ｄだけ後方に位置している場合には、側板３を押してブックエンド１を前方α側に滑らそうとしたとき、滑り止め５による抵抗がより少なく、ブックエンド１をより滑らかに前方α側、すなわち、書籍が存在している側に滑らせることができるという利点が得られる。
【００２９】
ｄの値としては、ｄ＞０であれば良いが、中央底板部分２ｃの前後方向、すなわちα−β方向の長さと同じか、それ以上であるのが好ましく、中央底板部分２ｃの前後方向の長さの２倍以上がより好ましい。ただし、ｄの値は、後方底板部分２ｒの前後方向の長さ、すなわちα−β方向の長さＤの（１／２）以下であるのが好ましい。
【００３０】
なお、滑り止め５の後方先端面は後方底板部分２ｒの後方先端面と一致しているのが望ましい。滑り止め５の後方先端面が後方底板部分２ｒの後方先端面と一致している場合には、倒れかかる書籍によって側板３に掛かる力を滑り止め５によって、より確実に受け止めて、ブックエンド１の後方への滑りをより有効に防止することができる。
【００３１】
一方、滑り止め５のブックエンド１の幅方向、すなわち、α−β方向と直交する方向の長さＬは、底板２の後方底板部分２ｒの幅方向長さＨよりも短くても良く、Ｌ＜Ｈとすることができる。ただし、滑り止め５の幅方向長さＬは、舌状に突き出している前方底板部分２ｆの幅方向長さＷよりも長く、Ｌ＞Ｗであるのが好ましい。本発明に係るブックエンド１は、通常、滑り止め５を含めて、ブックエンド１の幅方向の中心線に対して対称であるので、Ｌ＞Ｗであれば、前方底板部分２ｆは、幅方向長さにおいて、滑り止め５に完全に包含されることになる。また、ブックエンド１が補強用の曲折部４を有しているときには、滑り止め５の幅方向長さＬは、２つある曲折部４の双方を包含する長さとするのが好ましい。
【００３２】
本例のブックエンド１によっても、先に図５及び図６を用いて説明したと同様に、後方には滑り難く、倒れかかる書籍等をしっかりと受け止めて支持することができるとともに、前方へは滑り易く、書籍等を取り出して生じた空間を片手操作で簡単に無くすことができるという優れた効果が得られる。
【産業上の利用可能性】
【００３３】
以上述べたとおり、本発明のブックエンドによれば、書籍取り出し時にも残った書籍を安定して立てた状態で保持することができるとともに、書籍取り出し後に生じた空間を無くすべくブックエンドを書籍側に向かって滑らせることも容易に行うことができるので、極めて簡便に書籍等を立てた状態で保持、管理することが可能となる。本発明は図書館、書店等における書籍や雑誌等の立てた状態での展示、保管、管理に威力を発揮し、その産業上の利用可能性は多大である。
【符号の説明】
【００３４】
１            ブックエンド
２            底板
２ｆ          前方底板部分
２ｃ          中央底板部分
２ｒ          後方底板部分
３            側板
４            曲折部
５            滑り止め
【図１】
2019017726.tif 000003
【図２】
2019017726.tif 000004
【図３】
2019017726.tif 000005
【図４】
2019017726.tif 000006
【図５】
2019017726.tif 000007
【図６】
2019017726.tif 000008
【図７】
2019017726.tif 000009
【図８】
2019017726.tif 000010
【図９】
2019017726.tif 000011